Podtech/llm-jp-corpus-v4-ja_patent huggingface dataset:
(57)【要約】【課題】低吸音性能を持つ地球環境に優しい吸音材を使用し、遮音・吸音性能を高めた、遮音パネルを用いた防音パネルを提供する。【解決手段】多数の通気穴６を有する前面板５と遮音性がある背面板７の間に、地球環境に優しい例えばポリエステルなどの吸音材１及び吸音材２がある。  吸音材１及び吸音材２にはさまれて、遮音及び振動吸収性のある板４の面に複数の中空管又は扁平した管３を並列、接合した遮音パネル９を設ける。  遮音パネル９に接合された中空管又は扁平した管３の中空部８を、空気層又は音響エネルギーを減少させる材料を挿入し蓋をする。  これらを特徴とする。【選択図】図１
2006267987.tif 000002
【特許請求の範囲】
【請求項１】
多数の通気穴６を有する前面板５と遮音性がある背面板７の間に吸音材１及び吸音材２がある。
吸音材１及び吸音材２にはさまれて、遮音及び振動吸収性のある板４の面に複数の中空管又は扁平した管３を並列、接合した遮音パネル９がある。
これらで構成された防音パネル。
【請求項２】
吸音及び遮音性能を変化させるために、請求項１における中空管又は扁平した管３の中空部８を空気層、又は音響エネルギーを減少させる材料を挿入した遮音パネルを用いた防音パネル。
【発明の詳細な説明】
【発明の詳細な説明】
【技術分野】
【０００１】  この発明は、地球環境に優しい吸音材１及び吸音材２、例えばポリエステルなどを使用し、且つ遮音パネル９を設置することにより、音響エネルギーを減少させる防音パネルに関するものである。
【背景技術】
【０００２】  従来、地球環境に悪影響を及ぼすグラスウールやロックウールを吸音材に使用し、遮音パネルに相当するものは平板などを用いていた。
【発明が解決しようとする課題】
【０００３】  これは次のような欠点があった。
従来、吸音材として使用されているグラスウールやロックウールは、高額のリサイクル費用が掛かるため土中に廃棄処理されている。又、土への還元が不可能な物質でもある。
従来、防音パネルの吸音性能を変えるためにグラスウールやロックウールの密度や厚みを変えていた。従って、吸音性能を高めるために、材料容積を多く使用することが多かった。
従来、吸音材として使用されているグラスウールやロックウールは、高吸音性能、且つ低価格のため、思考の第一として活用されていた。
従来、グラスウールやロックウールの施工時に細かい繊維が舞い、目に入ったり皮膚のチクチク感が起きたり、体内吸込みによる健康障害の可能性等、作業環境が大変悪かった。
本発明は以上のような欠点を失くすためになされたものである。
【課題を解決するための手段】
【０００４】  多数の通気穴６を有する前面板５と遮音性がある背面板７の間に、地球環境に優しい例えばポリエステルなどの吸音材１及び吸音材２がある。
吸音材１及び吸音材２にはさまれて、遮音及び振動吸収性のある板４例えば金属板、ベニヤ板、樹脂板などの面に複数の中空管又は扁平した管３、例えば金属製を並列、接合した遮音パネル９を設ける。
遮音パネル９に接合された中空管又は扁平した管３の中空部８を、空気層又は音響エネルギーを減少させる材料、例えばポリエスレル、大鋸屑、炭、土などを挿入し蓋をする。
本発明は、以上の構成よりなる遮音パネルを用いた防音パネルである。
【発明を実施するための最良の形態】
【０００５】  以下、本発明の実施の形態について説明する。
遮音及び振動吸収性のある板４の面に中空管又は扁平した管３を並列、接合した遮音パネル９を設備する。
遮音パネル９の前後を地球環境に優しい吸音材１及び吸音材２ではさむ。
吸音材１の前面に多数の通気穴６を有する前面板５及び吸音材２の後面に遮音性を有する背面板７で吸音材１、吸音材２、遮音パネル９全体を覆い構成する。
本発明は、以上のような構造である。
本発明に使用する地球に優しい吸音材、例えばポリエステルなどの吸音性能は、従来使用されているグラスウールやロックウールの吸音性能に対し、劣ることが試験結果から明らかとなっている。
例えば、ポリエステルとグラスウールを同じ厚みで同じ吸音性能を発揮させるためには、ポリエステルの密度を２から３倍に高める必要があるというデーターも報告されている。
しかも、あまり密度を多くしすぎると繊維間の空気層の割合が減少し吸音性能が高まらない現象が起こる。
このような特性を持つ吸音材１及び吸音材２の密度を一定にして且つ防音パネルの厚さを変えないで吸音性能を発揮させるために、遮音パネル９を防音パネル内に設備したものである。
吸音性能を高めるしくみを以下に説明する。（図２を参照）
音源から発せられた音波はエネルギー（以下音響エネルギーと呼ぶ）を持って、空気中を伝播し前面板５を介して吸音材１に入射波する。
吸音材１に入射波した音響エネルギーは、繊維摩擦及び空気伝播摩擦によって熱に変換され減少する。即ち吸音されつつ複数の中空管又は扁平した管３に当たる。
複数の中空管又は扁平した管３は、吸音材及び空気に対し密度がはるかに大きいため、音波は複数の中空管又は扁平した管３の表面を回析しつつ、広域に反射波され遮音される。
広域に反射波した音波は、お互いに減じ合ったり増幅し合ったりしつつ、吸音材１を戻る。
戻った音波と次に来る音波は衝突しあい、その音響エネルギーは繊維摩擦及び空気伝播摩擦により熱に変換され減少し吸音される。
音響エネルギーの程度にもよるが、吸音材１を通過した音波は、遮音パネル９全体の振動をもたらす。
この振動は遮音パネル９自体の振動吸収により減少する。
減少された振動は音波となって、遮音パネル９の後面の表面から吸音材２へ広域に入射波する。
この入射波が持っている音響エネルギーは、吸音材２の繊維摩擦及び空気伝播摩擦により熱に変換され減少し吸音される。
同時に、背面板７に反射された音波の音響エネルギーと衝突しあい、減少し遮音・吸音される。
これらの現象を総合した結果が防音パネルの遮音・吸音性能となる。このように遮音パネル９を設けると減音させる要素が、従来の防音パネルより多くなる。
又、音響エネルギーを減少させる要素として質量を大きくすることがあげられるため、遮音パネル９の質量はグラスウールやロックウールの質量に対し大きく出来ることも可能である。
【発明の効果】
【０００６】  遮音パネル９の設置により、グラスウールやロックウールと同程度の価格で低吸音性能の地球環境に優しい吸音材の使用が可能となる。
完全リサイクル、リュース、無害焼却が可能、且つ施工環境が良好となる。
吸音材１及び吸音材２の密度を高めることなく、従来のグラスウールやロックウールを使用した防音パネル厚み前後に製作することも可能となる。
【図面の簡単な説明】
【図１】  本発明の断面図である。
【図２】  本発明の音波入射・反射説明図
【符号の説明】
１  吸音材
２  吸音材
３  中空管又は扁平した管
４  遮音及び振動吸収のある板
５  前面板
６  通気穴
７  背面板
８  中空部
９  遮音パネル
【図１】
2006267987.tif 000003
【図２】
2006267987.tif 000004
(57)【要約】【課題】安価で使用コストもかからず、短時間で簡単に毛穴の老廃物や皮脂を取り除くことを可能とする。【解決手段】ローラー１に、円盤状の突起６，７を設け皮膚に押し当てると突起６と突起７の先端の幅が狭まり、皮膚を挟み押し上げる状態になると同時に毛穴に圧力がかかり何度か繰り返し転がすことで、毛穴に溜まった老廃物や皮脂を広い範囲で取り除くことができるようにした。【選択図】図２
2006204469.tif 000002
【特許請求の範囲】
【請求項１】
ローラーの外周に少なくとも一対の円盤状の突起を設けたことを特徴とする美肌ローラー
【請求項２】
前記の一対の突起と突起は、根元の幅より先端の幅を狭く設けたことを特徴とする請求項１に記載の美肌ローラー
【請求項３】
前記の突起は、弾力性を有する材料からなることを特徴とする請求項１，又は２に記載の美肌ローラー
【請求項４】
前記の突起は、根元を薄くしたことを特徴とする請求項１，２，又は３に記載の美肌ローラー
【請求項５】
前記のローラーは、支持部の一方に一対からなる突起を有するローラーを備え、他方に複数対からなるローラーを設けたことを特徴とする請求項１，２，３，又は４のいずれか１項に記載の美肌ローラー
【発明の詳細な説明】
【技術分野】
【０００１】
この発明は、美容に関する洗顔や洗髪時に使用する美肌ローラーに関する。
【背景技術】
【０００２】
従来の洗顔や洗髪時に使用する用具は、タオルやブラシ、又は吸盤式や吸引器などがあり、汚れや毛穴に詰まった老廃物や皮脂を皮膚を擦ったり吸い取るものである。
【特許文献１】特許第３１６５４６６号
【特許文献２】特許第３０５７２２９号
【発明の開示】
【発明が解決しようとする課題】
【０００３】
しかしながら、以上の技術によれば、タオルやブラシでは、毛穴の老廃物や皮脂など取り除くには困難である。吸盤式ローラーは、毛穴の奥の老廃物や皮脂を取り除くには、吸引力が弱く、吸引器は、効果はあるが、電動式は価格が高く使用コストもかかり、手動式は作業時間もかかる。又、吸盤式や吸引式は、皮膚に泡立った石鹸などついていると使用に困難である。
【０００４】
そこで、この発明は、安価で使用コストもかからず短時間で毛穴の老廃物や皮脂を取り除き、洗顔や洗髪時泡立った石鹸がついていても使用可能な美肌ローラーを提供することを課題とする。
【課題を解決するための手段】
【０００５】
以上の課題を解決するために、本発明は、毛穴を挟んで皮膚を押し上げることを可能とする少なくとも一対の円盤状の突起をローラー上に設けたことを最大の特徴とする美肌ローラーである。
【発明の効果】
【０００６】
本発明によれば、ローラーを皮膚に当てて抑えながら転がせば、円盤状の突起と突起の先が皮膚を挟んで押し上げ、毛穴に内側より圧力がかかり、毛穴の中の老廃物や皮脂が押し出され取り除かれ美肌効果が得られる。また、入浴時や皮膚を暖め毛穴が開いた状態で使用すればより効果が得られる。
【発明を実施するための最良の形態】
【０００７】
この発明の一実施形態を、図１，２，３に示す。この美肌ローラーは、１の複数対の円盤状の突起を持つローラーと、２の一対の円盤状の突起を持つローラーと、３のアーム、４の支持部、５のネジから成る。図２は、一対のローラーの断面図である。図３は、複数対のローラーの断面図である。ローラーの材質は弾力性のある硬めのシリコンゴムから成る。６と７は、円盤状の突起である。９は、突起の根元部である。１０は、根元部を薄く設けるための溝である。８は、ローラーをアームに取り付ける芯の穴である。
【０００８】
本発明のローラーによれば、ローラーを皮膚に当てて押すと、９の突起の根元部の薄い部分の働きで、６，７の円盤状の突起が内側に曲がって皮膚を挟み込んで押し上げ、ローラーを転がすことにより挟み込まれた毛穴に圧力がかかり、毛穴の奥の老廃物や皮脂を押し出す。ローラーを前後に転がすことを繰り返しながら皮膚の上を移動させることにより、広い範囲の老廃物や皮脂が取り除かれ美肌効果が得られる。また、鼻の周りの皮脂が溜まり易い窪んだ箇所は、２の一対のローラーを使えば自在に動かせ簡単に老廃物や皮脂を取り除ける。
【０００９】
前述の実施形態では、６と７の一対の円盤状の突起は、根元より先端の幅が狭くなっているが、一対の円盤状の突起であれば皮膚を挟み込み毛穴の老廃物や皮脂を取り除き美肌効果が得られるので、他の実施形態では平行でもよい。更に円盤状の突起は硬いシリコンゴムであったが同様の理由から、他の実施形態では、金属性、プラスティック、塩化ビニール等の弾力性の材質、あるいはセラミックスや硬貨プラスティック等の弾力性のない材質でもよい。また、図２，３の実施形態では、突起の根元部、９は薄くなっているが他の実施形態では、薄くなくてもよい。また、図１の実施形態では、ローラーの突起は、五対と一対であったが、他の実施形態では何対でもよい。
【図面の簡単な説明】
【００１０】
【図１】この発明の一実施形態を示す美肌ローラーの斜視図である。
【図２】この発明の一実施形態を示す一対の円盤状のローラーの断面図である。
【図３】この発明の一実施形態を示す複数対の円盤状のローラーの断面図である。
【符号の説明】
【００１１】
１  ５対突起ローラー  
２  １対突起ローラー  
３  アーム  
４  支持部  
５  ネジ  
６  円盤状の突起  
７  円盤状の突起
８  軸穴  
９  突起の根元部  
１０  突起の根元部を薄く設ける為の溝
【図１】
2006204469.tif 000003
【図２】
2006204469.tif 000004
【図３】
2006204469.tif 000005
(57)【要約】【課題】  就寝中に仰向けや横向きや寝返った時、寝具のから体が露出し、冷えた空気が寝具内に入り込み、体が冷えやすい。このため、目が覚める恐れや風邪等の病気になる恐れがあった。このため、仰向けや横向きや寝返った時、寝具から体が露出しない毛布の開発の必要があった。【解決手段】  この問題を解決するために寝袋毛布が開発されている。この寝袋毛布は、縦長の長方形の毛布を半分に折り、その両側を縫製し、折り返した部分の中央部に頭の通る穴を開け、下方の中央部にズレ上がり防止のボタンホックを付けた毛布である。  このように構成された寝袋毛布を使用すれば、就寝中に仰向けや横向きや寝返った時でも、体が露出する心配が解消される。【選択図】  図１
2006204857.tif 000002
【特許請求の範囲】
【請求項１】
縦長の長方形の毛布を半分に折り、その両側を縫製し、折り返した部分の中央部に頭の通る穴を開け、下方の中央部にズレ上がり防止のボタンホックを付けた毛布。
【発明の詳細な説明】
【技術分野】
【０００１】  本発明は、縦長の長方形の毛布を半分に折り、その両側を縫製し、折り返した部分の中央部に頭の通る穴を開け、下方の中央部にズレ上がり防止のボタンホックを付けた毛布である。
【背景技術】
【０００２】  就寝中に仰向けや横向きや寝返った時、寝具から体が露出し、冷えた空気が寝具内に入り込み、体が冷えやすい。このため、目が覚める恐れや風邪等の病気になる恐れがあった。
【発明の開示】
【発明が解決しようとする課題】
【０００３】  就寝中に仰向けや横向きや寝返った時、寝具から体が露出しない毛布の開発。
【課題を解決するための手段】
【０００４】  この問題を解決するために寝袋毛布が開発されている。この寝袋毛布は、縦長の長方形の毛布を半分に折り、その両側を縫製し、折り返した部分の中央部に頭の通る穴を開け、下方の中央部にズレ上がり防止のボタンホックを付けた毛布である。
【発明の効果】
【０００５】  このように構成された寝袋毛布を使用することで、就寝中に仰向けや横向きや寝返った時でも、体が露出する心配が解消される。
【発明を実施するための最良の形態】
【０００６】  以下、本発明の実施の形態を説明する。図１及び図２及び図３及び図４及び図５は、実施の形態に係る着る毛布を模式的に示した俯瞰図である。本発明は以上のような構造で、この寝袋毛布は、下側の開口部から体を入れ、上方の孔部から頭を出して使用する。【０００７】  また、図２に示すように、下側の開口部に両面ファスナーを付けることで、寝具内への空気の進入をほとんど遮断できる。【０００８】  また、図３に示すように、下側の開口部にボタンホックを付けることで、寝具内への空気の進入を大幅に遮断できる。【０００９】  また、図４に示すように、両肘の部分に両面ファスナーを付けることで、手元での作業が可能となる。【００１０】  また、図５に示すように、上方中央の孔部に両面ファスナーを付けることで、孔部の円の直径を小さくすることができる。これにより、上方孔部からの空気の進入を減少させることができる。【００１１】  また、図６に示すように、折り返した部分の中央部に穴を開けずに下方の開口部分に両面ファスナーを付け、開口部から体を入れることで首元で両面ファスナーの開閉が可能となる。これにより、寝袋毛布からの体の出し入れ及び両面ファスナーの開閉が容易になる。
【図面の簡単な説明】
【００１２】
【図１】本発明の使用状態を示す俯瞰図
【図２】本発明の付加機能を示す俯瞰図
【図３】本発明の付加機能を示す俯瞰図
【図４】本発明の付加機能を示す俯瞰図
【図５】本発明の付加機能を示す俯瞰図
【図６】本発明の付加機能を示す俯瞰図
【符号の説明】
【００１３】１  ボタンホック
２  両面ファスナー
【図１】
2006204857.tif 000003
【図２】
2006204857.tif 000004
【図３】
2006204857.tif 000005
【図４】
2006204857.tif 000006
【図５】
2006204857.tif 000007
【図６】
2006204857.tif 000008
【手続補正書】
【提出日】平成17年7月28日(2005.7.28)
【手続補正１】
【補正対象書類名】明細書
【補正対象項目名】０００８
【補正方法】変更
【補正の内容】
【０００８】  また、図３に示すように、縦長の長方形の毛布を半分に折り、その両側及び下方を縫製し、折り返した部分の中央部に頭の通る穴を開け、横側及び頭の通る孔部に両面ファスナーが付いている。これにより、寝具内への外気の進入を大幅に減少させることができる。
【手続補正２】
【補正対象書類名】図面
【補正対象項目名】図３
【補正方法】変更
【補正の内容】
【図３】
2006204857.tif 000009
【手続補正書】
【提出日】平成17年7月28日(2005.7.28)
【手続補正１】
【補正対象書類名】明細書
【補正対象項目名】００１０
【補正方法】変更
【補正の内容】
【００１０】  また、図５に示すように、下方の開口部を縫合し、上方部の孔部に両面ファスナーを付け、そこから体を出し入れすることにより、寝具内への外気の進入を大幅に減少させることができる。
【手続補正２】
【補正対象書類名】図面
【補正対象項目名】図５
【補正方法】変更
【補正の内容】
【図５】
2006204857.tif 000010
(57)【要約】【目的】本発明は、手書きで文字を入力する事でゲーム進める事が出来る機器を目的とする。【構成】お手本となる文字を表示する手段１と、ペン入力により手書き文字を入力しその内容を同時に表示する手段２と、手書き文字のストロークを認識する手段３と、入力された文字のストロークを判定する手段４と、学習の難易度とお手本を記憶する手段５と、判定された結果により表示手段１または表示手段２にその結果及び、次の難易度のお手本を表示する進行手段６で構成される。【選択図】      図１
2006204853.tif 000002
【特許請求の範囲】
【請求項１】
お手本となる文字を表示する手段１と、ペン入力により手書き文字を入力しその内容を同時に表示する手段２と、手書き文字のストロークを認識する手段３と、入力された文字のストロークを判定する手段４と、学習の難易度とお手本を記憶する手段５と、判定された結果により表示手段１または表示手段２にその結果及び、次の難易度のお手本を表示する進行手段６で構成されるゲーム装置及び記録媒体。
【発明の詳細な説明】
【発明の詳細な説明】
【産業上の利用分野】
【０００１】  本発明は、コンピュータとその上で動作するソフトウェアを用いた手書き文字入力ゲームに関するものである。
【背景技術】
【０００２】  手書き文字を認識し、そのストロークから正しい書き順や形状を指示する学習装置はあったが、表示手段を２つ持ち、お手本となる字と、手書き入力する字を同時に表示出来、判定の正否によって、次なるお手本を表示するゲーム機器ではなかった。
【考案が解決しようとする課題】
【０００３】  本発明は、入力された手書き文字とお手本を同時に見比べ、また難易度によって、次なるお手本が表示手段に指示される事で、ゲームを実現する目的のものである。
【課題を解決する為の手段】
【０００４】  上記目的を達成する為に、本考案は、表示手段１と手書き入力と同時表示可能な入力及び表示手段２で構成される機器に、手書き文字のストロークを認識する手段３と、入力された文字のストロークを判定する手段４と、学習の難易度とお手本を記憶する手段５と、判定された結果により表示手段１または表示手段２にその結果及び、次の難易度のお手本を表示する手段６で構成する手段を講じたものである。
【作用】
【０００５】  本考案は、前述の手段を講じたので、学習の対象であるお手本となる文字を表示手段１に表示する事が出来る。
【０００６】  手書き入力且つその内容が表示可能な手段２を講じたので、使用の際、入力した文字のストロークがお手本の表示を乱さずに、表示手段２にリアルタイムで表示する事が出来る。これにより、使用者が、お手本どおりに手書き入力を実践する事が出来る。
【０００７】  入力されたストロークは、ストロークを認識する手段３において、手本の手順と手段４において判定され、表示手段１もしくは表示手段２にその可否を表示し、使用者はそのストロークが正しかったかを判断する事が出来る。
【０００８】  正しかった場合には、学習の難易度を次のステップへ進める為の手段６によって、次のお手本を表示手段１に表示し、難易度を徐々に高めていき、ゲームが進行する。
【実施例】
【０００９】
【００１０】  表示手段１に、ゲームの進行を表示し、そこにゲーム進行上必要な文字を表示する。
プレイヤは、その文字を入力及び表示手段２に手書きで入力し、それが正しい場合に、次の場面が表示手段１に表示される。
【発明の効果】
【００１１】  本発明は、手書きで文字を入力する事で、ゲームを進行させる事が出来る。
【図面の簡単な説明】
【図１】本発明の簡単な構成図である。
【符号の説明】
１  ・・  表示手段１
２  ・・  入力及び表示手段２
３  ・・  認識手段３
４  ・・  判定手段４
５  ・・  難易度記憶手段５
６  ・・  進行手段６
【図１】
2006204853.tif 000003
(57)【要約】【課題】  最近は折りたたみ式の履物の考案されてきているが、折り曲げた部分が直線となる為、外観も悪く、履き心地も良くなかった。【解決手段】  足裏と足の甲の部分をつつみこむ部分との間に曲線の切れ込みを入れることにより、外観及び履き心地の優れた低コストの履物が製造できる。【選択図】  図１
2006204851.tif 000002
【特許請求の範囲】
【請求項１】
足の甲をつつみこむ部分と足裏の部分との間に曲線の切れ込みを入れることを特長とする、折りたたみ式の履物。
【請求項２】
左右の足の甲をつつみこむ部分に切れ込みを入れることで、接着材を使用せずに足の甲をつつみこむ部分を固定することを特徴とする請求項１の履物。
【発明の詳細な説明】
【技術分野】
【０００１】  本発明は、折りたたみ式の履物に関する。
【背景技術】
【０００２】  乗り物やホテル、家庭で利用するスリッパ等の履物に関しては、使い捨て可能な低価格な製品も市場に出回っているが、形状が立体的である為、製造・運搬に相当なコストがかかっていた。
【発明の開示】
【発明が解決しようとする課題】
【０００３】  最近は折りたたみ式の履物が考案されてきている。しかし足の形状は曲線的であり、足の甲をつつみこむ部分を折り曲げて足の甲を包み込むことを特長とする折りたたみ式の履物は、折り曲げた部分が直線となってしまい、外観も悪く、履き心地も良くないものであった。また、足の甲をつつみこむ部分を固定する為に接着剤等を使用する必要があり、製造コストも大きかった。【０００４】  本発明は、前記した問題点を解決せんとするもので、その目的とするところは、足裏の部分と、足の甲をつつみこむ部分との間に曲線の切れ込みを入れることにより、組み立てた時に、足の形の近い形状を実現し、また足の甲をつつみこむ部分に切れ込みを入れることにより、接着材を不要とすることも可能とした、低価格で製造が可能な履物を提供せしめんとすることにある。
【課題を解決するための手段】  前記目的を達成するために、本発明による履物は、次に記載するような特徴的な構成を採用している。【０００５】  （１）開いた状態では、左右どちらか一方、もしくは左右両方に設置された、足の甲をつつみこむ部分と、足裏の部分との間に、曲線の切れ込みが存在する。【０００６】  （２）足の甲をつつみこむ部分は、折り曲げることにより足をつつむこととなる。この際、曲線の切れ込みが存在することにより、足裏の部分は足本来の形に近い曲線を維持できる。また足の甲をつつみこむ部分も足の甲にフィットする。折り曲げられた足の甲をつつみこむ部分と、足裏の部分を接着材等で固定するか、もしくは折り曲げられた左右２つの足の甲をつつみこむ部分を接着剤等で固定することにより、履物としての機能を有する。なお、本申請で記載している曲線とは、複数の直線を組み合わせて作る、曲線と同様な機能を有する線のことも当然のことながら含まれる。【０００７】  （３）また、左右の足の甲をつつみこむ部分に切れ込みを入れて、一部をもう片方に差し込むことにより、接着材をつかうことなく、足の甲をつつみこむ部分を固定できる。切れ込みを多く入れることで、足の甲をつつみこむ部分の広さの調整も可能となる。このことにより、低価格で製造が可能な折りたたみ式の履物が可能となる。
【発明を実施するための最良の形態】
【０００８】  図１は本発明の請求項１の形態における履物の概略図を示している。１は折り曲げることにより足の甲をつつみこむ部分。２は足裏の部分である。３は足の甲をつつみこむ部分と足裏の部分との間の曲線の切れ込みである。以下、本発明に係るシステムの実施の形態を図と共に説明する。【０００９】  開いた状態では、図１のように、足裏の部分２と、足の甲をつつみこむ部分１との間に、足の甲をつつみこむ部分と足裏の部分との間の曲線の切れ込み３が存在する。【００１０】  足の甲をつつみこむ部分１は、谷折りすることにより、足の甲を包み込む機能を有する。この際に、足の甲をつつみこむ部分と足裏の部分との間の曲線の切れ込み３により、足本来の形の近い形状を構築できる。【００１１】  左右の足の甲をつつみこむ部分１どうしを接着剤等で固定することにより、履物としての機能を有する。足の甲をつつみこむ部分１が左右どちらかにしかない場合は、足の甲をつつみこむ部分１と足裏の部分２を接着剤等で固定することにより、履物としての機能を有する。【００１２】  図２は、本発明の請求項１の形態における履物の概略図の別図である。足の甲をつつみこむ部分と足裏の部分との間の曲線の切れ込み３は左右両方になくとも、履物は足本来の形に近い曲線を維持できる。【００１３】  図３は本発明の請求項２の形態における履物の概略図を示している。１１は折り曲げることにより足の甲をつつみこむ部分。１２は足裏の部分である。１３は足の甲をつつみこむ部分と足裏の部分との間の曲線の切れ込みである。１４は折り曲げることにより足の甲をつつみこむ部分１１に入れた切れ込みである。折り曲げることにより足の甲をつつみこむ部分１１に入れた切れ込み１４うち、片方の出っ張った部分をもう片方の穴に差し込むことにより、止め具としての機能を有することとなる。なお、切れ込み１４を複数入れることにより、足の甲をつつみこむ部分の広さを調整したり、より強固に固定したりすることが可能である。【００１４】  以上の発明により、低コストで折りたたみ式の履物の製造が可能となる。紙１枚を裁断することで履物としての機能を有することが可能となるなど、産業上のメリットは大きい。
【図面の簡単な説明】
【００１５】
【図１】本発明の請求項１における履物の開いた時の平面図である。
【図２】本発明の請求項１における履物の開いた時の平面図の別図である。
【図３】本発明の請求項２における履物の開いた時の平面図である。
【符号の説明】
【００１６】  １          折り曲げることにより足の甲をつつみこむ部分
２          足裏の部分
３          足の甲をつつみこむ部分と足裏の部分との間の曲線の切れ込み
１１        折り曲げることにより足の甲をつつみこむ部分
１２        足裏の部分
１３        足の甲をつつみこむ部分と足裏の部分との間の曲線の切れ込み
１４        折り曲げることにより足の甲をつつみこむ部分１１に入れた切れ込み
【図１】
2006204851.tif 000003
【図２】
2006204851.tif 000004
【図３】
2006204851.tif 000005
(57)【要約】      （修正有）【課題】住民に商品券を購入してもらい運営資金を調達する散歩駅伝の運営資金調達方法を提供する。【解決手段】住民に商品券を購入してもらい、参加者はタイム結果により自己申告内か否かのいずれかの商品券の入った箱を獲得できる。はずれた箱の商品券は銀行に戻し入れ、運営資金をそこから調達する。【選択図】図２
2006204858.tif 000002
【特許請求の範囲】
【請求項１】
商店に対し商品券の発行許可を願う。
【請求項２】
住民に散歩駅伝参加を呼びかけるとともに商品券を購入してもらう。
【請求項３】
散歩駅伝実施前に、商品券購入者は各競技者が自己申告タイムの±１０秒以内に歩ける（Ｙ）歩けない（Ｎ）のどちらかの箱に商品券を投入する。
【請求項４】
競技終了後、事務局は６５歳以上の競技参加者の自己申告タイムに基づき±１０秒以内に歩ける（Ｙ）歩けない（Ｎ）の結果に応じた箱に入った商品券を贈呈する。
【請求項５】
結果と異なる箱の商品券は剰余金とし、そこから散歩駅伝に要した経費を調達する。
【発明の詳細な説明】
【技術分野】
【０００１】  この発明は、散歩駅伝の運営資金調達方法に関するビジネスモデルである。
【背景技術】
【０００２】  従来、スポーツイベントを開催するには多額の運営資金を必要とするものであった。
【発明の開示】
【発明が解決しようとする課題】
【０００３】しかしながら、住民に商品券を購入してもらい運営資金を調達することを課題とする。
【課題を解決するための手段】
【０００４】以上の課題を解決するために、
１商店に対し商品券の発行許可を願う。
２住民に散歩駅伝参加を呼びかけるとともに商品券を購入してもらう。
３散歩駅伝実施前に、商品券購入者は各競技者が自己申告したタイムの±１０秒以内に歩ける（Ｙ）歩けない（Ｎ）のどちらかの箱に商品券を投入する。
４競技終了後、事務局は６５歳以上の競技参加者の自己申告タイムに基づき（Ｙ）か（Ｎ）の結果に応じた箱に入った商品券を贈呈する。
５結果と異なる箱の商品券は剰余金とし、そこから散歩駅伝に要した経費を調達する。
【発明の効果】
【０００５】  ６５歳以上の競技参加者にのみ商品券を贈呈することにより、残りの商品券を散歩駅伝運営資金とすることができる。
【発明を実施するための最良の形態】
【０００６】この発明の実施形態を、図１、図２、図３に示す。
【図面の簡単な説明】
【０００９】
【図１】大会当日までの概要図
【図２】大会当日の概要図
【図３】大会終了後の概要図
【符号の説明】
【００１０】
【図１】
１．事務局は、６５歳以上の経営する商店名で額面５００円・有効期限は３ヶ月とする商品券を発行する。
２．住民は参加商店にて発行された商品券を購入する。
３．購入枚数は一人二枚までとする。
４．半券には購入者の氏名・住所・生年月日・電話番号を記入してもらう。
５．銀行へ商品券の売上金を振り込み、証明書を事務局に提出する。
【図２】
１．商品券購入者は各競技者の自己申告タイムの±１０秒以内に歩ける（Ｙ）歩けない（Ｎ）のどちらかの箱に商品券を投入する。
２．競技者が商品券を購入している場合、自分の箱に投入することも可能。
３．事務局は、競技者に対し結果に応じた箱に入った商品券を贈呈する。結果と異なる箱の商品券は剰余金とし、そこから散歩駅伝に要した経費を調達する。
【図３】
１．競技者の結果と異なる箱の商品券は、事務局が銀行に戻し入れを行う。散歩駅伝に要した経費は、各関係者が事務局に出金依頼票（領収書添付）を提出し、事務局で承認を得たものを銀行から出金する。さらに剰余金がある場合には、次回の大会時にボランティア員に商品券を配布する。
２．事務局及び関係者の不正防止のため、銀行は収支報告書を事務局に提出し、事務局はそれをインターネットで公表する。
商品券売上金＝物品購入＋商品券換金＋商品券戻し入れ＋出金依頼票＋残金
【図１】
2006204858.tif 000003
【図２】
2006204858.tif 000004
【図３】
2006204858.tif 000005
(57)【要約】【課題】  就寝中に仰向けや横向きや寝返りをした時、タオルケットから体が露出することがある。これにより、風邪等の病気になる恐れがあった。このため、就寝中に仰向けや横向きや寝返りをした時、体が露出しないタオルケットの開発の必要があった。【解決手段】  この問題を解決するためにサンドイッチマンタオルケットが開発されている。このサンドイッチマンタオルケットは、縦長の長方形のタオルケットを半分に折り、その両側を縫製し、折り返した部分の中央部に頭の通る穴を開け、下方の中央部にズレ上がり防止のボタンホックを付けたタオルケットである。  このように構成されたサンドイッチマンタオルケットを就寝時に使用すれば、就寝中に体が露出する心配が解消される。【選択図】  図１
2006204856.tif 000002
【特許請求の範囲】
【請求項１】
縦長の長方形のタオルケットを半分に折り、その両側を縫製し、折り返した部分の中央部に頭の通る穴を開け、下方の中央部にズレ上がり防止のボタンホックを付けたタオルケット。
【発明の詳細な説明】
【技術分野】
【０００１】  本発明は、縦長の長方形のタオルケットを半分に折り、その両側を縫製し、折り返した部分の中央部に頭の通る穴を開け、下方の中央部にズレ上がり防止のボタンホックを付けたタオルケットである。
【背景技術】
【０００２】  就寝中に仰向けや横向きや寝返りをした時、タオルケットから体が露出することがある。これにより、風邪等の病気になる恐れがあった。
【発明の開示】
【発明が解決しようとする課題】
【０００３】  就寝中に仰向けや横向きや寝返りをした時、体が露出しないタオルケットの開発。
【課題を解決するための手段】
【０００４】  この問題を解決するためにサンドイッチマンタオルケットが開発されている。このサンドイッチマンタオルケットは、縦長の長方形のタオルケットを半分に折り、その両側を縫製し、折り返した部分の中央部に頭の通る穴を開け、下方の中央部にズレ上がり防止のボタンホックを付けたタオルケットである。
【発明の効果】
【０００５】  このように構成されたサンドイッチマンタオルケットを就寝時に使用すれば、就寝中に体が露出する心配が解消される。
【発明を実施するための最良の形態】
【０００６】  以下、本発明の実施の形態を説明する。図１及び図２及び図３は、実施の形態に係るサンドイッチマンタオルケットを模式的に示した俯瞰図である。本発明は以上のような構造で、下側の開口部から体を入れ、上方の孔部から頭を出して使用する。【０００７】  また、図２に示すように、両端を縫製せずにボタンボックを付けることで、図１より通気性が良くなり、サンドイッチマンタオルケット内の温度の上昇を防ぐことができる。【０００８】  また、図３に示すように、中央付近にあけた２箇所の穴から両手を出すことができる。これにより、手元での作業が可能となる。
【図面の簡単な説明】
【０００９】
【図１】本発明の使用状態を示す俯瞰図
【図２】本発明の付加機能を示す俯瞰図
【図３】本発明の付加機能を示す俯瞰図
【符号の説明】
【０００９】    １  ボタンホック
【図１】
2006204856.tif 000003
【図２】
2006204856.tif 000004
【図３】
2006204856.tif 000005
【手続補正書】
【提出日】平成17年7月28日(2005.7.28)
【手続補正１】
【補正対象書類名】明細書
【補正対象項目名】０００７
【補正方法】変更
【補正の内容】
【０００７】  また、図２に示すように、中央付近に２箇所の穴をあけることで両手を出すことができる。これにより、手元での作業が可能となる。
【手続補正２】
【補正対象書類名】明細書
【補正対象項目名】０００８
【補正方法】変更
【補正の内容】
【０００８】  また、図３に示すように、両端を縫製せずにボタンホックを付けることで、図１より通気性が良くなり、サンドイッチマンタオルケット内の温度の上昇を防ぐことができる。
(57)【要約】【課題】マニキュアなどの粘性液体貯蔵容器内の形状を変えることで、その粘性液体を無駄なく、使い切ることができる容器を提供する。【解決手段】従来のマニキュアなどの容器内の液体貯蔵部分の形状を最底部に向かってすり鉢状のように上から下に傾斜をつけることで、液体が最底部のブラシ部分の１箇所に集まるようにする。【選択図】  図１
2006204859.tif 000002
【特許請求の範囲】
【請求項１】
本発明はマニキュアなどの粘性液体が液体貯蔵容器内に残り少なくなってきても、その容器内最底部のブラシ部分の１箇所に集めることのできる容器形状にすることで、マニキュアなどの粘性液体を従来のブラシにより無駄なく、使い切ることができる。この容器内の形状の発明である。
【発明の詳細な説明】
【技術分野】
【０００１】本発明はマニキュアなどの粘性液体を無駄なく、使い切るための容器内形状に関するもの
【背景技術】
【０００２】従来のマニキュア容器には爪に多様な塗り及び描きができるように施したものがある（例えば、特許文献１参照）。また、マニキュア液を一定かつ円滑に流出させるものがある（例えば、特許文献２参照）。また、キャップの部分が口紅のキャップを兼ねた構造のものがある（例えば、特許文献３参照）。また、塗布具付きキャップを有するものがある（例えば、特許文献４参照）
【特許文献１】特開平１１−２８５４１３
【特許文献２】特公表２００４−５３８０７１
【特許文献３】特公開２００２−６５３５０
【特許文献４】特公開２００３−１７５９６１
【発明の開示】
【発明が解決しようとする課題】
【０００３】従来のマニキュア容器は、液体貯蔵部分の底部が広く平らになっているため、マニキュアなどの粘性液体は残り少なくなってくると、ブラシがまわりの液体に届かなくなり、マニキュアなどの粘性液体が残ってしまうのを解決するための容器を提供する。
【課題を解決するための手段】
【０００４】マニキュアなどの液体が入っている容器内の液体貯蔵部分の形状を液体が最底部のブラシ部分の１箇所に集まるようにする。  そうすることで従来のブラシでも、その粘性液体を無駄なく、使い切ることができる。
【発明の効果】
【０００５】従来のマニキュア容器ではその液体を使い切ることができずに、もったいなくても、そのまま捨てているのが現状である。この発明によって、マニキュアなどの粘性液体の残存を解決することができる。また副次効果として容器内形状が傾斜しているのでブラシの毛の広がりを押さえることができ一石二鳥である。
【発明を実施するための最良の形態】
【０００６】化粧品会社へのアプローチ
【図面の簡単な説明】マニキュアなどの粘性液体が入っている容器内の液体貯蔵部分の形状を、すり鉢状のように最底部に向かって上から下に傾斜をつけ、液体がブラシ部分の１箇所に集まるようにする。なお、容器内の最底部には、ブラシの先端が密着しない程度の隙間をあけるようにする。理由は従来のマニキュア容器と同様で、密着しているとブラシと容器内底部が接着する可能性があるため。また、液体が１箇所に集まる最底部の幅は、ブラシの幅を確保する。
【図１】
2006204859.tif 000003
(57)【要約】【課題】  従来にない形状を持つことにより、浴槽の残水を最大限取水し水資源の最大活用を目的とする洗濯機バスポンプ用取水ヘッドを提供する。【解決手段】  取水面を水面に対し平行に位置させることにより空気の吸い込みを最大限抑え込み、また取水パイプの取り付け口も水面に対し平行に配置させることにより取水パイプが水面と平行方向に伸び取水口を浴槽底面に安定的に向けることを可能とした取水ヘッドである。【選択図】  図１
2006204837.tif 000002
【特許請求の範囲】
【請求項１】
フィルターを装着した取水口面が、水面に対し平行に位置するとともに、洗濯機につながる取水パイプ取り付け口も水面に対し平行に位置する形状を持つことを特徴とする洗濯機バスポンプ用取水ヘッド。
【発明の詳細な説明】
【技術分野】
【０００１】  本発明は、洗濯機用バスポンプの取水ヘッドの形状に関するものである。
【背景技術】
【０００２】  従来、取水口、パイプ取付口、洗濯機につながる取水パイプが同軸上に位置し、通常の使用状態では取水口面が水面に対し垂直になるよう設計された取水ヘッドはあった。
【発明の開示】
【発明が解決しようとする課題】
【０００３】  従来の取水ヘッドには次のような問題点があった。
（イ）取水口面が水面に対し垂直に位置するため取水口面の断面径以下の水位に対しては空気を吸い込むばかりで有効に働かず、取水の取残しが多く発生した。
（ロ）風呂の残り湯が不足した場合、洗濯機側では水道水に切り替えるなどのプロセスを経る為、洗濯時間が長くなるケースが多く発生していた。
本発明は、この問題点を解決するためになされたものである。
【課題を解決するための手段】
【０００４】  取水面を水面に対し平行に位置させることにより空気の吸い込みを最大限抑え込み、また取水パイプの取り付け口も水面に対し平行に配置させることにより取水パイプが水面と平行方向に伸び取水口が浴槽底面に安定的に向けられることを可能とした取水ヘッドである。
【発明の効果】
【０００５】  （イ）取水口が浴槽底面に可能なかぎり張り付くことにより取水率が向上し、残り湯が最大限吸い上げられる。
（ロ）風呂の残り湯から水道水へ切り替える頻度を低減し洗濯時間の長時間化を減少させることができる。
【発明を実施するための最良の形態】
【０００６】  第一実施例
（イ）取水口面の中心軸と取水パイプ取付口、取水パイプの中心軸は９０度内外の角度をもって配置され、すべてが水面に対し平行に位置するよう設計する。
（ロ）取水口面は浴槽底面に平行に位置するため吸水による負圧により底面に張り付かぬよう３本以上の突起を設ける。
（ハ）取水口面にはフィルターを設けごみを排除し、取水ヘッド本体とフィルター取付部とはネジを切る等本体との着脱が容易な手段により接合する。
（ニ）フィルターを装備した取水口面部および取水ヘッド本体は円形又は多角形の水平断面とし、安定して浴槽底面に張り付く直径（幅）を確保する。【０００７】  第２実施例
（イ）取水口面の周囲に３本以上の足を外に張り出させることにより、より安定的に取水口面を浴槽底面に張り付かせることが可能な実施例もある。
（ロ）第１実施例と同様、取水口面にはフィルターを設けごみを排除し、取水ヘッド本体とフィルター取付部とはネジを切る等本体との着脱が容易な手段により接合する。また、取水口面の中心軸と取水パイプ取付口、取水パイプの中心軸は９０度内外の角度をもって配置され、すべてが水面に対し平行に位置するよう設計してもよいが、本実施例の場合同軸上に配してもよい。【０００８】  第３実施例
（イ）取水口面の中心軸と取水パイプ取付口、取水パイプの中心軸は９０度内外の角度をもって配置され、すべてが水面に対し平行に位置するよう設計する。
（ロ）取水口面は浴槽底面に平行に位置するため吸水による負圧により底面に張り付かぬよう３本以上の突起を設ける代わりに、取水口面をゆるい曲面とする設計。ほかの仕様は第１実施例に準じる。
【図面の簡単な説明】
【０００９】
【図１】    本発明の斜視図
【図２】    本発明の側断面
【図３】    本発明の他の実施例を示す斜視図
【図４】    本発明の他の実施例を示す斜視図
【図５】    本発明の他の実施例を示す斜視図
【符号の説明】
１  取水ヘッド本体
２  取水パイプ取付部
３  洗濯機につながる取水パイプ
４  フィルター取付蓋部
５  足
６  フィルター取付蓋部の１次フィルター部
７  ２次フィルター
８  ３次フィルター
９  パッキン
１０  張出し安定足
【図１】
2006204837.tif 000003
【図２】
2006204837.tif 000004
【図３】
2006204837.tif 000005
【図４】
2006204837.tif 000006
【図５】
2006204837.tif 000007
(57)【要約】      （修正有）【課題】スノーボーダーをケース又はカバーに収納したままでも、エッジに錆びが発生する事を防ぐ。【解決手段】合成繊維を倦縮加工し数本撚糸した糸を用いニット生地を縫製し吸水撥水機能を持たせた、伸縮性のある、スノーボードカバーを提供する。【選択図】図１
2006204836.tif 000002
【特許請求の範囲】
【請求項１】
合成繊維を倦縮加工し数本撚糸した糸を用いニット生地を縫製し吸水撥水機能を持たせた、伸縮性のある、スノーボードカバー
【発明の詳細な説明】
【発明の詳細な説明】
【産業上の利用分野】
【０００１】  この発明は、合成繊維に倦縮加工し数本撚糸を掛け、ニット生地を作り縫製し、水分の吸水撥水を加速させる、スノーボードカバーに関するものである。
【背景技術】
【０００２】    従来のスノーボードカバーは、内側にウレタン、スポンジ等で外部に合成皮革等で、スノーボード全体を保護する目的とし全体を密閉していた、したがってスノーボード滑走後、スノーボードに付着した氷雪は収納後、次第に解け始め、スノーボードのエッジの金属部分に、錆びを発生させる大きな欠点があった。また密閉式で水分の蒸発を妨げた、当然スノーボードより大きいカバーで、脱着が容易でなかった。
【発明が解決しようとする課題】
【０００３】  本発明はその欠点をなくすために、素材に合成繊維を倦縮加工し、数本撚り合わせニット生地を作り、スノーボードの表側の６０％以上を開口し、開口部の回りにゴムを通し縫製した、吸水撥水を促進する研究を進めた。
【課題を解決するための手段】
【０００４】スノーボードのエッジ部分が錆びない様にするには、滑走後スノーボードに付着した氷雪は、次第に溶け出し水滴となる、従来のスノーボードカバーは内装にウレタン、スポンジ等を用い保水性が高く、表皮には通気性の悪い素材が使われていた、その欠点を除くため、吸水撥水性を促進し、更に収縮性に優れた素材を開発し、ニット生地を作りスノーボードカバーを作り、吸水撥水効果を高め、保水しない事を発見した。
【作用】
【０００５】  本発明は以上のような構成であるからスノーボード収納するのも開口部が大きくあり簡単に収納する事ができる、滑走後収納したスノーボードに付着した氷雪は、次第に解け始めるが、速やかに吸水撥水させる効果があり、錆びを防ぐ事ができる。
【実施例】
【０００６】合成繊維に倦縮加工した糸を数本引きそろえ、ニット生地でスノーボードカバーを縫製しても吸水撥水効果はあるが、ピリングが発生する、次に数本撚糸を掛けニット生地でスノーボードカバーを縫製すると、強度も上がりピリングも防ぐ事が出来た。
【発明の効果】
【０００７】滑走後本発明のスノーボードカバーを装着するにも、カバーの表側が６０％以上開口しているため簡単に装着できる、装着後１２時間以上経過した後、検査したところスノーボードカバーは乾燥し、スノーボードのエッジ部分は、全く錆びは発生していなかった。
【図面の簡単な説明】
【図１】本発明をスノーボードに装着した斜視図
【図２】本発明の斜視図
【符号の説明】
（１）開口部
（２）ゴムを挿入した部位
（３）ゴムが膨らんだ部位
【図１】
2006204836.tif 000003
【図２】
2006204836.tif 000004
(57)【要約】【課題】本発明の目的は、ハンガーのフックを物干し竿やロープなどの支持具に固定することにより、洗濯物が風に飛ばされ落下するのを防止することである。【解決手段】ハンガーのフックに取り付けたベルトを物干し竿などの支持具を巻きつけるようにして留める。【選択図】図１
2006204834.tif 000002
【特許請求の範囲】
【請求項１】
ハンガー等のフックに取り付けたベルトを物干し竿などの支持具に巻きつけるようにして留めることを特徴とするハンガー等のフック固定用具。
【請求項２】
ハンガー等のフックを通すボディの内部に敷居を設け、前記敷居はアールのあるフックをある一定の方向からのみ通すことができる構成とし、ハンガー等のフックをボディに通してからボディの向きを変えて装着した後、フックの向きが変わらないようにカバーを付けることでフックが固定具より外れないようにする事を特徴とする請求項１記載のハンガー等のフック固定用具。
【発明の詳細な説明】
【技術分野】
【０００１】本発明はハンガー等フックで吊り下げるものの落下防止のための固定具に関する。
【背景技術】
【０００２】ハンガーに掛けて干しておいた洗濯物が、風に飛ばされ落下したり、一箇所に寄せられたりすることがある。そのために汚れてしまったり、乾きが悪かったりする。【０００３】従来の発明には物干し竿に、ネットを付けたり、紐で固定したりする方法がある。
【特許文献１】特願２００２−１７０６９１号
【発明の開示】
【発明が解決しようとする課題】
【０００４】本発明の目的は、ハンガーのフックを物干し竿やロープなどの支持具に固定することにより、洗濯物が風に飛ばされ落下するのを防止することである。
【課題を解決しようとする手段】
【０００５】ハンガーのフックに取り付けたベルトを物干し竿などの支持具を巻きつけるようにして留める。
【発明の効果】
【０００６】本発明は、ベルトで留めることで、ハンガーが風により落下したり、一方向に寄せられたりすることを防ぐ。ベルトを外せば容易にハンガーを外すことができる。固定する位置を自在に決めることができ、物干し竿でもロープでも固定することができる。
【発明を実施するための最良の形態】
【０００７】図１は、本発明の一実施例の概要図である。物干し竿２にハンガーのフック１が掛かっている。【０００８】ボディ５にハンガーのフック１を通した状態で、物干し竿２をベルト３で巻きつけて留める。カバー６は、ハンガーのフック１の向きが変わることを防いでいる。
【実施例】
【０００９】図２は、本発明の一実施例の全体図である。ベルト３と固定板４とボディ５とカバー６で構成されている。【００１０】ゴムやシリコンなど伸縮性のある素材を用いたベルト３がある。このベルト３には締め付けて固定する役割があり、伸縮性のある素材を用いる他にバネを用いた構造にして締め付ける機能を実現させても良い。【００１１】ベルト３と固定板４で、物干し竿に巻きつけて固定する。支持具がロープの場合は、ベルト３と固定板４で、挟んで固定する。固定板４が支持具と接する面に、ゴムやシリコンで滑り止めの加工をするとなお良い。【００１２】ボディ５には切れ目があり、その切れ目にカバー６を差し込んで留めることができるようになっている。ボディ５の上下を変えることにより、太さの違う物干し竿とロープでも使用できるようにしている。【００１３】カバー６は、ハンガーのフックが上や左右に動かないように、フックの上と左右を覆うような形状にしている。【００１４】ボディ５内部の概要を図３に示す。ボディ５のサイドの板７の間に敷居Ａ８、敷居Ｂ９、敷居Ｃ１０を設けることにより、フックなどアールのついたものが、矢印Ａ１１のように敷居Ａ８をアールの内側にすることで通すことができる。矢印Ｂ１２のように逆方向に向けると敷居Ｂ９、敷居Ｃ１０がつかえて通すことができない。【００１５】この原理により、図１のように固定した状態で、ハンガーのフック１が物干し竿２の円周に沿って１８０度回転して外れることはない。【００１６】それゆえに、本固定具をセットするには、図４に示すとおりに、固定板４がハンガーのフック１の外側になるようにし、図５に示す状態まで、ボディ５にハンガーのフック１を通す。【００１７】ハンガーのフック１を物干し竿やロープなどの支持具に固定するときは、本固定具を回転させて、図５に示す状態にして、セットする。
【図面の簡単な説明】
【００１８】
【図１】本発明の一実施例の概要図である。
【図２】本発明の一実施例の全体図である。
【図３】ボディ内部の概要図である。
【図４】セット前の状態図である。
【図５】セット時の状態図である。
【図６】セット後の状態図である。
【符号の説明】
【００１９】１    ハンガーのフック
２    物干し竿
３    固定ベルト
４    固定板
５    ボディ
６    カバー
７    ボディのサイドの板
８    敷居Ａ
９    敷居Ｂ
１０  敷居Ｃ
１１  矢印Ａ（フックを通すことができる場合）
１２  矢印Ｂ（フックを通すことができない場合）
【図１】
2006204834.tif 000003
【図２】
2006204834.tif 000004
【図３】
2006204834.tif 000005
【図４】
2006204834.tif 000006
【図５】
2006204834.tif 000007
【図６】
2006204834.tif 000008